【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
人体に装着して脈拍に関する情報を収集する情報収集装置において、
装着部位の生体表面の形状変化に伴って発生する体動成分を検出し体動検出信号を出力する第１体動検出部と、
脈波成分を検出し脈波検出信号を出力する脈波検出部と、
を備えたことを特徴とする情報収集装置。
【請求項２】
人体に装着して脈拍に関する情報を収集する情報収集装置において、
装着部位の生体表面の形状変化に伴って発生する体動成分を検出し第１体動検出信号を出力する第１体動検出部と、
前記人体の動きに伴って発生する体動成分を検出し第２体動検出信号を出力する第２体動検出部と、
脈波成分を検出し脈波検出信号を出力する脈波検出部と、
を備え、
前記人体の動きが検出される場合には、前記第２体動検出信号に基づいて前記脈波検出信号から体動成分を除去し、
前記人体の動きが検出されない場合には、前記第１体動検出信号に基づいて前記脈波検出信号から体動成分を除去する、
ことを特徴とする情報収集装置。
【請求項３】
請求項１または請求項２記載の情報収集装置において、
前記生体表面は、手首の表面であることを特徴とする情報収集装置。
【請求項４】
請求項１ないし請求項３のいずれかに記載の情報収集装置において、
前記第１体動検出部は、圧力センサ、荷重センサあるいは変位センサのいずれかを備えたことを特徴とする情報収集装置。
【請求項５】
請求項１ないし請求項４のいずれかに記載の情報収集装置において、
前記第２体動検出部は、加速度センサを備えたことを特徴とする情報収集装置。
【請求項６】
請求項１ないし請求項５のいずれかに記載の情報収集装置において、
前記脈波検出部は、脈波センサを備え、
前記脈波センサの近傍に前記体動検出部の検出位置を配置したことを特徴とする情報収集装置。
【請求項７】
請求項６記載の情報収集装置において、
前記脈波検出部は、脈波センサを備え、
前記脈波センサに対し、装着部位の背面側あるいは同一面側であって前記脈波センサの検出位置を通る同一軸上近傍に前記第１体動検出部および前記第２体動検出部の検出位置を配置したことを特徴とする情報収集装置。
【請求項８】
請求項２記載の情報収集装置から収集した情報を受信する受信部と、
受信した情報に含まれる前記第１体動検出信号、前記第２体動検出信号および脈波検出信号に基づいて脈拍数を算出する脈拍数算出部と、
を備えたことを特徴とする脈拍計。
【請求項９】
請求項８記載の脈拍計において、
収集した情報を外部に送信する送信部を備えたことを特徴とする脈拍計。
【請求項１０】
請求項８または請求項９記載の脈拍計において、
前記脈拍数算出部は、前記体動検出信号を周波数分析し第１周波数分析データを生成する第１周波数分析部と、
前記脈波検出信号を周波数分析し、第２周波数分析データを生成する第２周波数分析部と、
前記第２周波数分析データに対する前記第１周波数分析データの減算処理を行う除去処理部を備えたことを特徴とする脈拍計。
【手続補正２】
【補正対象書類名】明細書
【補正対象項目名】０００４
【補正方法】変更
【補正の内容】
【０００４】
【課題を解決するための手段】
上記課題を解決するため、人体に装着して脈拍に関する情報を収集する情報収集装置において、装着部位の生体表面の形状変化に伴って発生する体動成分を検出し体動検出信号を出力する第１体動検出部と、脈波成分を検出し脈波検出信号を出力する脈波検出部と、を備えたことを特徴としている。
上記構成によれば、第１体動検出部は、装着部位の生体表面形状変化に伴って発生する体動成分を検出し体動検出信号を出力する。
また、脈波検出部は、脈波成分を検出し脈波検出信号を出力する。
【手続補正３】
【補正対象書類名】明細書
【補正対象項目名】０００５
【補正方法】変更
【補正の内容】
【０００５】
また、人体に装着して脈拍に関する情報を収集する情報収集装置において、装着部位の生体表面の形状変化に伴って発生する体動成分を検出し第１体動検出信号を出力する第１体動検出部と、前記人体の動きに伴って発生する体動成分を検出し第２体動検出信号を出力する第２体動検出部と、脈波成分を検出し脈波検出信号を出力する脈波検出部と、を備え、前記人体の動きが検出される場合には、前記第２体動検出信号に基づいて前記脈波検出信号から体動成分を除去し、前記人体の動きが検出されない場合には、前記第１体動検出信号に基づいて前記脈波検出信号から体動成分を除去する、ことを特徴としている。
上記構成によれば、第１体動検出部は、装着部位の生体表面の形状変化に伴って発生する体動成分を検出し第１体動検出信号を出力する。
第２体動検出部、前記人体の動きに伴って発生する体動成分を検出し第２体動検出信号を出力する。
脈波検出部は、脈波成分を検出し脈波検出信号を出力する。
そして、情報収集装置は、前記人体の動きが検出される場合には、前記第２体動検出信号に基づいて前記脈波検出信号から体動成分を除去し、前記人体の動きが検出されない場合には、前記第１体動検出信号に基づいて前記脈波検出信号から体動成分を除去する。
【手続補正４】
【補正対象書類名】明細書
【補正対象項目名】０００６
【補正方法】変更
【補正の内容】
【０００６】
これらの場合において、前記生体表面は、手首の表面であるようにしてもよい。
また、前記第１体動検出部は、圧力センサ、荷重センサあるいは変位センサのいずれかを備えるようにしてもよい。
さらに、前記第２体動検出部は、加速度センサを備えるようにしてもよい。
さらにまた、前記脈波検出部は、脈波センサを備え、前記脈波センサの近傍に前記体動検出部の検出位置を配置するようにしてもよい。
また、前記脈波検出部は、脈波センサを備え、前記脈波センサに対し、装着部位の背面側あるいは同一面側であって前記脈波センサの検出位置を通る同一軸上近傍に前記第１体動検出部および前記第２体動検出部の検出位置を配置するようにしてもよい。
【手続補正５】
【補正対象書類名】明細書
【補正対象項目名】０００７
【補正方法】変更
【補正の内容】
【０００７】
また、脈拍計は、上述した情報収集装置から収集した情報を受信する受信部と、受信した情報に含まれる前記第１体動検出信号、前記第２体動検出信号および脈波検出信号に基づいて脈拍数を算出する脈拍数算出部と、を備えたことを特徴としている。
上記構成によれば、受信部は、上述した情報収集装置から収集した情報を受信する。
これにより、脈拍数算出部は、受信した情報に含まれる前記第１体動検出信号、前記第２体動検出信号および脈波検出信号に基づいて脈拍数を算出する。
【手続補正６】
【補正対象書類名】明細書
【補正対象項目名】０００８
【補正方法】変更
【補正の内容】
【０００８】
この場合において、収集した情報を外部に送信する送信部を備えるようにしてもよい。
また、前記脈拍数算出部は、前記体動検出信号を周波数分析し第１周波数分析データを生成する第１周波数分析部と、前記脈波検出信号を周波数分析し、第２周波数分析データを生成する第２周波数分析部と、前記第２周波数分析データに対する前記第１周波数分析データの減算処理を行う除去処理部を備えるようにしてもよい。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】